(57)【要約】      （修正有）【課題】環境を汚さず、設置が自在で、動きに影響せず、更に安全性が高い潜水用錘装置を提供する。      【解決手段】錘袋３１は、潜水スーツ２０の指定位置に固定され、その指定位置は、人体が水中に於いて活動する時に良好な平衡点とする。固定方式の一例は潜水スーツ２０の指定位置にメス粘着片２１を固定し、錘袋３１一側面にオス粘着片３１１を固定する。錘袋３１と潜水スーツ２０との間は、メス粘着片２１とオス粘着片３１１の粘着により固定される。【選択図】図４
0003137625.tif 000002
【実用新案登録請求の範囲】
【請求項１】
潜水スーツ及びこの潜水スーツに設置する錘ユニットから構成された潜水用錘装置において、
前記錘ユニットは錘袋及び該錘袋中に収納されるタングステンゴムを含み、該タングステンゴムはタングステン粉混合ゴム材により所定形状の片体もしくは塊体に成形され、前記錘ユニットは潜水スーツの指定位置に固定し、この指定位置は人体が水中で活動する時の平衡點を形成する点であることを特徴とする潜水用錘装置。
【請求項２】
前記潜水スーツは、前記錘ユニットを固定する位置にメス粘着片を設置する一方、前記錘袋の一側面にオス粘着片を固定し、該錘袋と前記潜水スーツとの間は前記メス粘着片とオス粘着片の粘着で固定し、前記錘袋と前記潜水スーツとの間をスピーディに結合もしくは分離可能としたことを特徴とする請求項１記載の潜水用錘装置。
【請求項３】
前記錘ユニットの錘袋は、ミシン縫い、接着結合、若しくは高周波封鎖の手段により、潜水スーツに固定することを特徴とする請求項１記載の潜水用錘装置。
【考案の詳細な説明】
【技術分野】
【０００１】
本考案は、潜水スーツに固定して環境汚染がなく、設置が自在であり、更に体を自由に動かせ、安全性も高い潜水用錘装置に関する。
【背景技術】
【０００２】
レジャースポーツ人口が増加し、潜水も現在では人気のあるスポーツのひとつである。潜水に必要な基本装備として潜水スーツ（防寒衣）、アイマスク、シュノーケル、酸素ボンベ、調節器、フリッパー及び錘ベルト等を含む。本考案は、潜水スーツに設置する錘に属するものである。海水では塩分が高く、更に一般の潜水スーツ材は浮力を具えるため、人は水面に浮きやすい。そのため、潜水者は必ず荷重物品を持ち、中性浮力を維持する。在潜水活動の領域に於いて、多種の錘重量の計算方法がある。そのうち、最も直接的なものとして、潜水者及びその装備の総重量の十分の一の重さを荷重重量とする。もしくは潜水者が潜水スーツを着用し、酸素ボンベを35Barまで抜いた時、水深五Mの深さで平衡を保つことを中性浮力の理想重量とする。これらにより、潜水者は、潜水時に荷重物品を携帯する。その荷重物品は、通常錘ベルトとする（図１、２参照）。この錘ベルトは、腰ベルト１０を含み、この腰ベルト10の一端に掛合具１１を設置する。そのうち腰ベルト１０上に複数個の「日」字形の鉛錘塊１２を差し込み、使用者が潜水スーツ１３を着用後、腰ベルト１０を腰に回し、掛合具１１で掛合して固定し、潜水者に予定重量の鉛錘塊１２を携帯させる。従来、鉛錘塊１２は荷重源として用いられ、潜水者はその数量を増減させて理想の荷重を得ていた。
【考案の開示】
【考案が解決しようとする課題】
【０００３】
解決しようとする問題点は、下述の点である。
【０００４】
前記鉛金属は、海水と接触すると、毒性の極めて強い鉛イオン化合物を発生する。その毒性をもった化合物は、直接海を汚染し、生態系に影響を与える他に、化合物は腰ベルト１０及び潜水スーツ１３にも付着し、人の皮膚や器官に影響を与えて病気の原因となる。
【０００５】
鉛錘塊１２は、鋳造を経て塊状に成形されている。この鉛錘塊１２を腰部に設置すると、体の動きに影響を与え、更には潜水者の腰腹部及び肋骨を押さえつけて傷つける可能性もある。
【０００６】
潜水者に予定重量の鉛錘塊１２を携帯させたい時、複数の鉛錘塊１２を一つ一つ腰ベルト１０上に差込み、各鉛錘塊１２の重量を一定にして潜水者正確な重量数値にするのは大変困難で、更には水中の理想浮力にも影響する。
【０００７】
鉛錘塊１２は、腰ベルト１０に差込み、潜水者の腰に設置し、全ての重量は腰位置に集中する。そのため潜水者が水中で活動する時、荷重源は均衡に分布せず、潜水者は必要以上に平衡力を求められるため、技術訓練を経て、荷重源不均衡の問題を克服できる。
【０００８】
潜水者が潜水の過程で、例えば器具の故障、身体不適状態もしくは怪我等緊急を要する突発状況が発生した場合、直ぐに水面に出ることが必要であるが、腰間の腰ベルト１０は直ぐにはずすことができない。鉛錘塊１２の重量は、潜水者が緊急に上昇するのを遅らせ、場合によって取り返しのつかないことになる場合もある。
【０００９】
このように従来の鉛錘塊１２には上述の問題が存在するため、改善しなければならない。
【００１０】
本考案はこれらの事情に鑑みてなされたもので、環境を汚染せず、配置が自在で、且つ人の動きに影響を与えず、安全性の高い錘ユニットを備えた潜水用錘装置を提供することにある。
【課題を解決するための手段】
【００１１】
本考案は、潜水スーツ及びその潜水スーツに設置した複数の錘ユニットから構成される。この潜水スーツは、使用者が着用して潜水時に用い、錘ユニットは錘袋及びその中に入れるタングステンゴムを含む。このタングステンゴムは、タングステン粉を混合した柔性材で、所定の形状の片体もしくは塊体に成形する。
【考案の効果】
【００１２】
本考案の潜水用錘装置は、環境を汚さず、設置が自在で、動きに影響を与えず、更に安全性が高いという利点がある。
【考案を実施するための最良の形態】
【００１３】
以下、図面を参照して本考案の実施例を説明する。
【実施例】
【００１４】
図３に示すように、本実施例は潜水スーツ２０及びこの潜水スーツに設置した若干の錘ユニット３０から構成される。前記潜水スーツ２０（図４参照）は、使用者が着用し、潜水時に用いる。
【００１５】
前記錘ユニット３０（図４参照）は、錘袋３１及びその中に入れるタングステンゴム３２（Rubber Tungsten）を含む。このタングステンゴム３２は、タングステン粉を混合した柔性材料で作られ、先に所定の形状の片状もしくは塊体に成形される。前記柔性材料は、例えばゴムもしくは樹脂とし、成型後は高比重で柔軟性に富み、撓み性を備え、振動を吸収し、腐食抗生を有している（金屬元素において、鉛の比重は11.3gm/cc，タングステンの比重為19.3 gm/ccである）。この錘袋３１は、潜水スーツ２０の指定位置に固定される。その指定位置とは、人体が水中に於いて活動する時に良好な平衡点とし、即ち、上腕部外側、腰位置、大腿外側等とするが、当然その他平衡点を維持する箇所でもよく、例として前胸、腹部等があり、錘袋３１を潜水スーツ２０指定位置に固定して多種の方式で実施する。更に着脱式、及び固定式の二種がある。着脱式を例にとると、潜水スーツ２０の指定位置にメス粘着片２１を固定し、錘袋３１一側面にオス粘着片３１１を固定する。錘袋３１と潜水スーツ２０との間は、メス粘着片２１とオス粘着片３１１の粘着により固定される。二者の間には、快速分離の特性も備える（図４参照）。また、固定式を例に取ると、錘袋３１はミシン縫い、接着結合、高周波封合等の方式で潜水スーツ２０の指定位置に固定する。錘袋３１を固定方式で潜水スーツ２０の指定位置に設置した場合、必ず一袋入口３１２を設置し、タングステンゴム３２を錘袋３１から入れたり、取り出したりすることを可能にする（図５参照）。
【００１６】
上述の潜水スーツ２０及び錘ユニット３０の構造には下述の利点を有する。
【００１７】
錘ユニット３０のタングステンゴム３２は、主にタングステン粉及びゴムから作られる。その成分は、生態系及び人体に対して汚染もしくは危害を加えない。錘ユニット３０のタングステンゴム３２は撓み性を有する。人体が活動する時、動きによって撓み特性が活かされ、潜水者にとっては錘ユニット３０が原因での動きを阻害されない。他にこの錘ユニット３０のタングステンゴム３２は撓み性及び柔軟特性を有し、タングステンゴム３２は振動吸収性を持ち、外力から保護する。
【００１８】
錘ユニット３０の錘袋３１には、タングステンゴム３２を収納する。前記錘袋３１は、仕切り方式でタングステンゴム３２を入れる。潜水者が予定重量の荷重源を携帯したい時、錘ユニット３０を潜水スーツ２０上に固定すればよく、設置が非常に簡単で便利であり、更に正確に予定重量数値にすることが簡単である。
【００１９】
錘ユニット３０のタングステンゴム３２は高比重の特性を具え、潜水スーツの荷重源となる。錘ユニット３０を潜水スーツ２０の指定位置に固定した後、潜水者は即座に平衡性を保つことができ、潜水者が水中で活動する時簡単に平衡を保つことができる。
【００２０】
潜水者が潜水している最中に、器具の故障、身体不適等の緊急の突発状況が発生した場合、即座に水面に浮き上がらなければならない。その時、潜水者は錘ユニット３０を潜水スーツ２０上から離すだけで（もしくは袋入口３１２タングステンゴム３２を取り出す）荷重源を取り出すことができ、潜水者は荷重源の重力を受けることないので、非常に安全である。
【００２１】
以上の説明及び図示による実施例でもわかるとおり、本考案は、潜水スーツ２０及び錘ユニット３０から構成し、考案の目的を達成する。なお、前述した実施例は単なる本考案の例示であり、種々の変形が考えられ、それらは本考案の範囲に属するものである。
【図面の簡単な説明】
【００２２】
【図１】従来例を示すベルトの斜視図である。
【図２】従来例のベルトを潜水スーツに装着した状態を示す説明図である。
【図３】本考案の実施例を示す斜視図である。
【図４】本考案の実施例の潜水スーツに錘ユニットを固定する状態を説明する説明図である。
【図５】本考案の実施例の潜水スーツに錘ユニットを固定する他の例を示す説明図である。
【符号の説明】
【００２３】
１０        腰ベルト
１１        掛合具
１２        鉛錘塊
１３        潜水スーツ
２０        潜水スーツ
２１        メス粘着片
３０        錘ユニット
３１        錘袋
３１１        オス粘着片
３１２        袋入口
３２        タングステンゴム
【図１】
0003137625.tif 000003
【図２】
0003137625.tif 000004
【図３】
0003137625.tif 000005
【図４】
0003137625.tif 000006
【図５】
0003137625.tif 000007